(57)【要約】【課題】本開示は、防水性に優れ且つＲＦタグの回収を容易に行うことが可能なＲＦタグ部品及びＲＦタグ部品の製造方法を説明する。【解決手段】ＲＦタグ部品は、ＲＦタグと、ＲＦタグを内部に収納する収納部材と、収納部材をその内部に位置するＲＦタグと共に封止する防水フィルムとを備える。ＲＦタグと接する収納部材の内面が非接着面である。【選択図】図１
2020035089.tif 000002
【特許請求の範囲】
【請求項１】
ＲＦタグと、
前記ＲＦタグを内部に収納する収納部材と、
前記収納部材をその内部に位置する前記ＲＦタグと共に封止する防水フィルムとを備え、
前記ＲＦタグと接する前記収納部材の内面が非接着面である、ＲＦタグ部品。
【請求項２】
前記ＲＦタグに記録されている情報に対応する対応情報を表示するように構成された表示部をさらに備える、請求項１に記載のＲＦタグ部品。
【請求項３】
前記表示部は前記収納部材の外表面に設けられており、
前記防水フィルムは、前記外表面の前記表示部を視認可能な光透過性を有する、請求項２に記載のＲＦタグ部品。
【請求項４】
前記収納部材は表側外表面及び裏側外表面を含み、
前記表側外表面及び前記裏側外表面にはそれぞれ前記表示部が設けられている、請求項２又は３に記載のＲＦタグ部品。
【請求項５】
前記収納部材はシート状を呈しており、
前記ＲＦタグは、少なくとも二つ折りにされた前記収納部材の間に挟まれている、請求項１〜４のいずれか一項に記載のＲＦタグ部品。
【請求項６】
収納部材の内部にＲＦタグを収納することであって、前記ＲＦタグと接する前記収納部材の内面が非接着面であることと、
内部にＲＦタグが収納された前記収納部材を、前記ＲＦタグと共に防水フィルムで封止することとを含む、ＲＦタグ部品の製造方法。
【請求項７】
前記ＲＦタグに記録されている情報に対応する対応情報を表示するように構成された表示部を設けることをさらに含む、請求項６に記載の方法。
【請求項８】
前記表示部を設けることは、前記収納部材を封止することの前に、前記収納部材の外表面に前記表示部を設けることを含み、
前記収納部材を封止することは、前記外表面の前記表示部を視認可能な光透過性を有する前記防水フィルムで前記収納部材を前記ＲＦタグと共に封止することを含む、請求項７に記載の方法。
【請求項９】
前記表示部を設けることは、前記収納部材の表側外表面及び裏側外表面に対応する領域にそれぞれ前記表示部を設けることを含む、請求項７又は８に記載の方法。
【請求項１０】
前記ＲＦタグを収納することは、前記ＲＦタグを間に挟むように、シート状を呈する前記収納部材を少なくとも二つ折りにすることを含む、請求項６〜９のいずれか一項に記載の方法。
【発明の詳細な説明】
【技術分野】
【０００１】
本開示は、ＲＦタグ部品及びＲＦタグ部品の製造方法に関する。
【背景技術】
【０００２】
建築工事、土木工事、配管工事等の工事現場の近傍には、一般に、工事に用いる各種の資材を一時的に保管するための資材置き場が設けられている。資材置き場は、通常、複数の領域に分けられている。各領域にはそれぞれ、工事の工程、資材の種類等に応じて、各種の資材が分類される。
【０００３】
近年、これらの資材にＲＦタグを付して、ＲＦタグの情報を読取装置で読み取ることにより、資材の搬入出、分類保管等の資材の管理を効率的に行うことが知られている。資材置き場は通常屋外に設置されているので、防水機能を備えるＲＦタグが求められている。ＲＦタグが水に濡れると、絶縁不良、腐食等が生じてＲＦタグが破損したり、水が電波を吸収又は反射してＲＦタグと読取装置との間で通信が困難となる場合があるためである。
【０００４】
ところで、チャック付き袋の中にＲＦタグを収納して、ＲＦタグの防水を図ることが考えられる。しかしながら、チャック付き袋では完全な防水が難しく、袋の内部に浸入した水がＲＦタグに付着しうる。しかも、いったん袋の内部に浸入した水は、袋の外に排出され難いので、ＲＦタグの性能低下が加速してしまう。
【０００５】
そこで、特許文献１は、金型内にＲＦタグを装填することと、樹脂を金型内に注入して、ＲＦタグを溶融樹脂で被覆して硬化させることとを含む、複合ＲＦタグの製造方法を開示している。すなわち、複合ＲＦタグは、ＲＦタグと樹脂とが一体化してなる。このようにＲＦタグは樹脂で完全に覆われるので、ＲＦタグに水が付着することが防止される。
【先行技術文献】
【特許文献】
【０００６】
【特許文献１】特開２０１０−２５９０６８号公報
【発明の概要】
【発明が解決しようとする課題】
【０００７】
しかしながら、特許文献１に記載の複合ＲＦタグの場合、防水機能は発揮するものの、ＲＦタグを固化樹脂の内部から取り出して再利用することが困難であった。そのため、工事現場が変わるたびに新たな複合ＲＦタグを製造しなければならず、製造コストが嵩んでしまう懸念があった。
【０００８】
そこで、本開示は、防水性に優れ且つＲＦタグの回収を容易に行うことが可能なＲＦタグ部品及びＲＦタグ部品の製造方法を説明する。
【課題を解決するための手段】
【０００９】
例１．本開示の一つの例に係るＲＦタグ部品は、ＲＦタグと、ＲＦタグを内部に収納する収納部材と、収納部材をその内部に位置するＲＦタグと共に封止する防水フィルムとを備える。ＲＦタグと接する収納部材の内面が非接着面である。この場合、ＲＦタグは、収納部材の内部において接着されていないので、収納部材の内部で移動可能である。そのため、防水フィルムを収納部材と共にハサミ等で切断するだけで、内部のＲＦタグを回収できる。従って、ＲＦタグ部品として資材に付与する際には防水フィルムによる優れた防水効果が得られると共に、ＲＦタグ部品の使用後は極めて容易にＲＦタグを回収することが可能となる。
【００１０】
例２．例１のＲＦタグ部品は、ＲＦタグに記録されている情報に対応する対応情報を表示するように構成された表示部をさらに備えてもよい。この場合、ＲＦタグの読取装置によってＲＦタグを読み取らなくても、表示部に表示されている対応情報を作業者が目視することにより、ＲＦタグに記録されている情報の少なくとも一部を確認することが可能となる。そのため、ＲＦタグ部品が付された多数の資材が資材置き場に存在する場合に、読取装置によって目標とする資材のおおよその場所を確認し、その後に、当該場所の近傍に存在する資材に付されているＲＦタグ部品を作業者が一つずつ目視によって確認することで、目標とする資材を効率的に見つけ出すことが可能となる。
【００１１】
例３．例２のＲＦタグ部品において、表示部は収納部材の外表面に設けられており、防水フィルムは、外表面の表示部を視認可能な光透過性を有していてもよい。この場合、表示部もＲＦタグと共に防水フィルムによって覆われて保護される。そのため、表示部に表示されている対応情報の汚損を防ぐことが可能となる。
【００１２】
例４．例２又は例３のＲＦタグ部品において、収納部材は表側外表面及び裏側外表面を含み、表側外表面及び裏側外表面にはそれぞれ表示部が設けられていてもよい。この場合、ＲＦタグ部品の両面（表面及び裏面）に同じ対応情報が表示される。そのため、作業者が目視により対応情報を確認する際に、ＲＦタグ部品を裏返す手間がなくなる。従って、作業者による対応情報の確認作業を効率化することが可能となる。
【００１３】
例５．例１〜例４のいずれかのＲＦタグ部品において、収納部材はシート状を呈しており、ＲＦタグは、少なくとも二つ折りにされた収納部材の間に挟まれていてもよい。この場合、収納部材へのＲＦタグの収納を極めて容易に行うことができる。
【００１４】
例６．本開示の他の例に係るＲＦタグ部品の製造方法は、収納部材の内部にＲＦタグを収納することであって、ＲＦタグと接する収納部材の内面が非接着面であることと、内部にＲＦタグが収納された収納部材を、ＲＦタグと共に防水フィルムで封止することとを含む。この場合、例１のＲＦタグ部品と同様の作用効果を奏する。
【００１５】
例７．例６の方法は、ＲＦタグに記録されている情報に対応する対応情報を表示するように構成された表示部を設けることをさらに含んでいてもよい。この場合、例２のＲＦタグ部品と同様の作用効果を奏する。
【００１６】
例８．例７の方法において、表示部を設けることは、収納部材を封止することの前に、収納部材の外表面に表示部を設けることを含み、収納部材を封止することは、外表面の表示部を視認可能な光透過性を有する防水フィルムで収納部材をＲＦタグと共に封止することを含んでいてもよい。この場合、例３のＲＦタグ部品と同様の作用効果を奏する。
【００１７】
例９．例７又は例８の方法において、表示部を設けることは、収納部材の表側外表面及び裏側外表面に対応する領域にそれぞれ表示部を設けることを含んでいてもよい。この場合、例４のＲＦタグ部品と同様の作用効果を奏する。
【００１８】
例１０．例６〜例９のいずれかの方法において、ＲＦタグを収納することは、ＲＦタグを間に挟むように、シート状を呈する収納部材を少なくとも二つ折りにすることを含んでいてもよい。この場合、例５のＲＦタグ部品と同様の作用効果を奏する。
【発明の効果】
【００１９】
本開示に係るＲＦタグ部品及びＲＦタグ部品の製造方法によれば、防水性に優れ且つＲＦタグの回収を容易に行うことが可能となる。
【図面の簡単な説明】
【００２０】
【図１】図１（ａ）はＲＦタグ部品の一例を示す正面図であり、図１（ｂ）は図１（ａ）のＢ−Ｂ線断面図である。
【図２】図２は、ＲＦタグ部品の製造方法の一例を説明する図である。
【図３】図３は、ＲＦタグ部品の製造方法の一例を説明する図である。
【図４】図４は、図１のＲＦタグ部品が工事資材に取り付けられている様子を示す図である。
【図５】図５は、ＲＦタグ部品からＲＦタグを回収する方法の一例を説明する図である。
【発明を実施するための形態】
【００２１】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２２】
［ＲＦタグ部品の構成］
まず、図１を参照して、ＲＦタグ部品１の構成について説明する。ＲＦタグ部品１は、ＲＦタグ１０と、収納部材１２と、防水フィルム１４と、表示部１６，１８とを備える。
【００２３】
ＲＦタグ１０は、図示しないメモリ及びアンテナが設けられた板状体である。ＲＦタグ１０は、アンテナを介して図示しないリーダライタとの間で通信を行い、メモリへのデータの記録と、メモリからのデータの読み出しが可能に構成されている。ＲＦタグ１０の通信方式は、電波方式であってもよいし、電磁誘導方式であってもよい。
【００２４】
収納部材１２は、ＲＦタグ１０を内部に収納可能に構成されている。本実施形態では、収納部材１２は、シート状を呈している。ＲＦタグ１０と接する収納部材１２の内面は、接着剤が付与されていない非接着面とされている。そのため、収納部材１２の内部に収納されているＲＦタグ１０は、収納部材１２の内部において自由に移動可能である。
【００２５】
収納部材１２は、可撓性を有していてもよい。収納部材１２は、ＲＦタグ１０が送受信する電波又は磁界を通過可能な材料で構成されていてもよい。収納部材１２は、例えば、紙、樹脂フィルム、布、ゴムシート等で構成されていてもよい。図１（ｂ）に示されるように、収納部材１２は、二つ折りにされた収納部材１２の内側にＲＦタグ１０を収納していてもよい。収納部材１２の大きさは、図１（ａ）に示されるように、ＲＦタグ１０よりも大きくてもよく、ＲＦタグ１０を完全に覆い隠せる程度の大きさであってもよい。
【００２６】
防水フィルム１４は、防水性を有しており、収納部材１２の両面をＲＦタグ１０と共に覆いこれらを水密に封止するように構成されている。そのため、防水フィルム１４は、収納部材１２よりも大きくてもよく、収納部材１２を完全に覆い隠せる程度の大きさであってもよい。防水フィルム１４は、ＲＦタグ１０が送受信する電波又は磁界を通過可能な材料で構成されていてもよい。防水フィルム１４は、その内側に位置する収納部材１２の外表面を視認可能な程度の光透過性を有していてもよい。
【００２７】
防水フィルム１４は、図１（ｂ）に示されるように、基材フィルム１４ａと、接着層１４ｂとを含む。基材フィルム１４ａは、接着層１４ｂを支持する機能を有する。基材フィルム１４ａは、樹脂製であってもよく、例えば、ポリエチレンテレフタラート（ＰＥＴ）フィルム、ポリプロピレン（ＰＰ）フィルム、ポリ塩化ビニル（ＰＶＣ）フィルム等であってもよい。
【００２８】
接着層１４ｂは、対象物との接着が可能な材質で且つ耐水性及び防水性（水の浸入を妨げる性質）を有する材質であれば特に限定されない。接着層１４ｂは、例えば、熱可塑性樹脂であってもよいし、熱硬化性樹脂であってもよいし、紫外線硬化性樹脂であってもよい。接着層１４ｂが熱可塑性樹脂である場合、防水フィルム１４はラミネートフィルムとして機能する。
【００２９】
接着層１４ｂは、基材フィルム１４ａの全面に付与されていてもよい。あるいは、接着層１４ｂは、基材フィルム１４ａの周縁に沿って付与されているが、基材フィルム１４ａの中央部には付与されていなくてもよい。後者の場合、収納部材１２は、接着層１４ｂと接着せず、基材フィルム１４ａと当接しうる部分が存在する。
【００３０】
表示部１６，１８は、収納部材１２の表側外表面１２ａに設けられている。同じく、表示部１６，１８は、収納部材１２の裏側外表面１２ｂにも設けられている（図２（ａ）参照）。すなわち、収納部材１２の両面には同じ表示部１６，１８が付されている。
【００３１】
表示部１６，１８は、ＲＦタグ１０に記録されている情報に対応する対応情報を表示している。表示部１６は、文字の態様で対応情報を表示している。表示部１８は、２次元コードの態様で対応情報を表示している。
【００３２】
［ＲＦタグ部品の製造方法］
続いて、図２〜図４を参照して、ＲＦタグ部品１の製造方法について説明する。まず、図２（ａ）に示されるように、折り畳まれていない状態のシート状の収納部材１２を用意する。
【００３３】
次に、収納部材１２のうち表側外表面１２ａ及び裏側外表面１２ｂに対応する領域に、表示部１６，１８を設ける。例えば、表示部１６，１８の対応情報が外表面１２ａ，１２ｂに印刷されることで、表示部１６，１８が外表面１２ａ，１２ｂに設けられていてもよい。あるいは、表示部１６，１８の対応情報が印刷されたラベルが外表面１２ａ，１２ｂに貼付されることで、表示部１６，１８が外表面１２ａ，１２ｂに設けられていてもよい。
【００３４】
次に、図２（ｂ）に示されるように、表側外表面１２ａ及び裏側外表面１２ｂに対応する領域がそれぞれ外側を向くように、収納部材１２を中央部において二つ折りに折り曲げる。次に、二つ折りにされた収納部材１２の間にＲＦタグ１０を差し挟んで収納する。これにより、ＲＦタグ１０は、収納部材１２によって完全に覆われる。
【００３５】
次に、図３（ａ）に示されるように、接着層１４ｂが内側を向くように、防水フィルム１４で収納部材１２を両側から挟み込む。このとき、一対の防水フィルム１４によって収納部材１２を挟持してもよいし、収納部材１２が内側に収納されるように一枚の防水フィルム１４を二つ折りに折り曲げてもよい。
【００３６】
次に図３（ｂ）に示されるように、収納部材１２を内側に収納している防水フィルム１４を例えばラミネータ２０等に投入する。これにより、接着層１４ｂが加熱され、接着層１４ｂとその対向面に位置する部材とが接着される。以上により、ＲＦタグ部品１が完成する。
【００３７】
完成したＲＦタグ部品１は、図４に示されるように、工事現場で用いる資材３０に直接又は紐等を介して間接的に取り付けられる。ＲＦタグ部品１が紐等を介して間接的に取り付けられる場合、ＲＦタグ部品１に紐等を通すための孔が設けられていてもよい。この場合、紐等を通すための孔は、収納部材１２が存在しない領域に位置する。
【００３８】
［ＲＦタグの回収方法］
続いて、図５を参照して、使用済みのＲＦタグ部品１かＲＦタグ１０を回収する方法について説明する。
【００３９】
まず、図５（ａ）に示されるように、ハサミ４０等を用いて防水フィルム１４を収納部材１２と共に切断する。この際、ＲＦタグ部品１の手触り、膨らみ、透け感等からＲＦタグ１０の位置を確認することができるので、ＲＦタグ１０を切断することは避けられる。
【００４０】
次に、図５（ｂ）に示されるように、切断によって形成された開口からＲＦタグ１０を取り出す。この際、収納部材１２の内面は非接着面であるので、開口を下向きに傾けるだけでＲＦタグ１０が収納部材１２内から滑り出てくる。
【００４１】
［作用］
以上のような本実施形態では、ＲＦタグ１０は、収納部材１２の内部において接着されていないので、収納部材１２の内部で移動可能である。そのため、防水フィルム１４を収納部材１２と共にハサミ４０等で切断するだけで、内部のＲＦタグ１０を回収できる。従って、ＲＦタグ部品１として資材３０に付与する際には防水フィルム１４による優れた防水効果が得られると共に、ＲＦタグ部品１の使用後は極めて容易にＲＦタグ１０を回収することが可能となる。
【００４２】
以上のような本実施形態では、ＲＦタグ部品１は表示部１６，１８を備えている。そのため、読取装置によってＲＦタグ１０を読み取らなくても、表示部１６，１８に表示されている対応情報を作業者が目視することにより、ＲＦタグ１０に記録されている情報の少なくとも一部を確認することが可能となる。従って、ＲＦタグ部品１が付された多数の資材３０が資材置き場に存在する場合に、読取装置によって目標とする資材３０のおおよその場所を確認し、その後に、当該場所の近傍に存在する資材３０に付されているＲＦタグ部品１を作業者が一つずつ目視によって確認することで、目標とする資材３０を効率的に見つけ出すことが可能となる。
【００４３】
以上のような本実施形態では、表示部１６，１８が収納部材１２の外表面１２ａ，１２ｂに設けられており、防水フィルム１４が外表面１２ａ，１２ｂの表示部１６，１８を視認可能な程度の光透過性を有している。そのため、表示部１６，１８もＲＦタグ１０と共に防水フィルム１４によって覆われて保護される。従って、表示部１６，１８に表示されている対応情報の汚損を防ぐことが可能となる。
【００４４】
以上のような本実施形態では、収納部材１２の表側外表面１２ａ及び裏側外表面１２ｂにそれぞれ表示部１６，１８が設けられている。そのため、ＲＦタグ部品１の両面（表面及び裏面）に同じ対応情報が表示される。従って、作業者が目視により対応情報を確認する際に、ＲＦタグ部品１を裏返す手間がなくなる。その結果、作業者による対応情報の確認作業を効率化することが可能となる。
【００４５】
以上のような本実施形態では、ＲＦタグ１０は、少なくとも二つ折りにされた収納部材１２の間に挟まれている。そのため、収納部材１２へのＲＦタグ１０の収納を極めて容易に行うことができる。
【００４６】
［変形例］
以上、本開示に係る実施形態について詳細に説明したが、本発明の要旨の範囲内で種々の変形を上記の実施形態に加えてもよい。
【００４７】
例えば、表示部１６，１８の対応情報は、防水フィルム１４に直接印刷されていてもよい。表示部１６，１８の対応情報が印刷されたラベルが防水フィルム１４の表面に貼付されていてもよい。防水フィルム１４と収納部材１２との間に、表示部１６，１８を含むシートが介在していてもよい。
【００４８】
上記の実施形態では、ＲＦタグ１０は、二つ折りにされた収納部材１２の内側に収納されていたが、収納部材１２によるＲＦタグ１０の態様はこれに限られない。例えば、筒状を呈する収納部材１２の内部にＲＦタグ１０が収納されてもよいし、シート状を呈する一対の収納部材１２の間にＲＦタグ１０が挟持されてもよい。
【００４９】
ＲＦタグ部品１の製造方法は、ＲＦタグ１０が収納された複数の収納部材１２を一対の防水フィルム１４の間に挟み込むことと、接着層１４ｂとその対向面に位置する部材とをラミネータ２０等で接着することと、個々の収納部材１２に応じて防水フィルム１４を個片化することとを含んでいてもよい。複数の収納部材１２のうち隣り合う収納部材１２同士は、所定の間隔をもって離間していてもよい。この場合、収納部材１２の周囲において防水フィルム１４の接着層１４ｂ同士が接着するので、個々の収納部材１２がそれぞれ防水フィルム１４によって覆われる。そのため、複数の収納部材１２のうち隣り合う収納部材１２の間で防水フィルム１４を切断することにより、個々の収納部材１２を防水フィルム１４により水密に封止することができる。
【符号の説明】
【００５０】
１…ＲＦタグ部品、１０…ＲＦタグ、１２…収納部材、１２ａ…表側外表面、１２ｂ…裏側外表面、１４…防水フィルム、１６，１８…表示部。
【図１】
2020035089.tif 000003
【図２】
2020035089.tif 000004
【図３】
2020035089.tif 000005
【図４】
2020035089.tif 000006
【図５】
2020035089.tif 000007